(57)【要約】【課題】  板紙の使用量が少なく、一方の面を印刷することにより表出面全てを印刷面とすることができる収納容器を提供することである。【解決手段】  裏台紙パネル、第１側面パネル、前面パネル、第２側面パネル、表台紙パネルがそれぞれ折罫を介して連接され、前記第１側面パネルの上辺側に天面パネル、天面差込片が折罫を介して連接され、前記前面パネルの下辺側に底面パネル、底面差込片が折罫を介して連接された板紙を折り畳んで組み立てられる収納容器において、前記表台紙パネルは前記第２側面パネルの上辺の延長上に形成され、前記裏台紙パネルには前記底面パネルと底面差込片を連接する前記折罫に設けられた切込線に差込可能な差込片と前記第２側面パネルには前記天面差込片を差込可能は切込線を有することを特徴とする収納容器。【選択図】        図５
2015107826.tif 000002
【特許請求の範囲】
【請求項１】
裏台紙パネル（５）、第１側面パネル（３）、前面パネル（１）、第２側面パネル（２）、表台紙パネル（４）がそれぞれ折罫（７３、７２、７１、７４）を介して連接され、前記第１側面パネル（３）の上辺側に天面パネル（３１）、天面差込片（３２）が折罫（３０１、３０２）を介して連接されると共に前記前面パネル（１）の下辺側に底面パネル（１１）、底面差込片（１２）が折罫（１０１、１０２）を介して連接された板紙（Ａ’）を折り畳んで組み立てられる収納容器において、前記表台紙パネル（４）は前記第２側面パネル（２）上辺の延長上に形成され、前記裏台紙パネル（５）には前記折罫（１０２）に設けられた切込線（６２）に差込可能な差込片（５２）と前記第２側面パネル（２）には前記天面差込片（３２）を差込可能は切込線（６１）を有することを特徴とする収納容器（Ａ）。
【請求項２】
前記裏台紙パネル（５）、前記第１側面パネル（３）、前記前面パネル（１）および前記第２側面パネル（２）の１つ、または折罫（７３、７２、７１）を介して連続する２つまたは３つの前記パネルに窓部（８０）を設けてなることを特徴とする請求項１記載の収納容器（Ａ）。
【発明の詳細な説明】
【技術分野】
【０００１】
本発明は、シャンプー、リンス、洗剤あるいは柔軟剤等に代表される液体や粘稠体あるいは粉体からなる内容物が充填された容器を収納する収納容器に関するものである。
【背景技術】
【０００２】
従来から、たとえば、シャンプー、リンス、洗剤あるいは柔軟剤等に代表される液体や粘稠体あるいは粉体からなる内容物が充填された、たとえば、製品や試供品（サンプル）等の容器を収納する収納容器が用いられている（たとえば、特許文献１参照）。
【０００３】
この特許文献１に開示された容器収納用カートンの技術は、製品や試供品（サンプル）等の容器を収納する容器収納部と製品や試供品（サンプル）等の名称や使い方、その効能等が印刷等の表示手段により表示された宣伝広告部とから構成され、一枚のカートンブランク（板紙）を組み立てることにより製品や試供品（サンプル）等の容器を収納する容器収納部と製品や試供品（サンプル）等の名称や使い方、その効能等が印刷等の表示手段により表示された宣伝広告部が形成されるので、この種の分野においては極めて有効な技術である。
【０００４】
しかしながら、特許文献１に開示された技術は製品や試供品（サンプル）等の容器を収納する容器収納部と製品や試供品（サンプル）等の名称や使い方、その効能等が印刷等の表示手段により表示された宣伝広告部を組み立てることで同時に形成することができるという点では有効な技術であるが、容器収納用カートンとするための板紙の使用量が多いという問題、結果としてコスト高になるといった問題があった。
【０００５】
すなわち、容器収納部や宣伝広告部の表出する領域を装飾する、具体的には印刷手段を用いて絵柄や文字等からなる意匠とする場合、板紙の両面を印刷すれば、板紙の片面を印刷する場合に比べて印刷工程が１工程増えるという問題があり、この工程増の問題を解消するために板紙の片面だけを印刷するように構成した結果、特許文献１では図１の符号１８で示される部分（図２では符号１８ｃで示されるパネル）が必要となるという問題があった。
【先行技術文献】
【特許文献】
【０００６】
【特許文献１】特開平０８−２９５３２８号公報
【発明の概要】
【発明が解決しようとする課題】
【０００７】
そこで本発明は、上記問題に鑑みてなされたものであり、余分なパネルを用いることなく、板紙の一方の面（片面）だけを装飾することで、表出する領域をすべて装飾することができる収納容器を安価に提供することである。
【課題を解決するための手段】
【０００８】
本発明者は、上記課題を達成するために、請求項１記載の本発明は、裏台紙パネル（５）、第１側面パネル（３）、前面パネル（１）、第２側面パネル（２）、表台紙パネル（４）がそれぞれ折罫（７３、７２、７１、７４）を介して連接され、前記第１側面パネル（３）の上辺側に天面パネル（３１）、天面差込片（３２）が折罫（３０１、３０２）を介して連接されると共に前記前面パネル（１）の下辺側に底面パネル（１１）、底面差込片（１２）が折罫（１０１、１０２）を介して連接された板紙（Ａ’）を折り畳んで組み立てられる収納容器（Ａ）において、前記表台紙パネル（４）は前記第２側面パネル（２）上辺の延長上に形成され、前記裏台紙パネル（５）には前記折罫（１０２）に設けられた切込線（６２）に差込可能な差込片（５２）と前記第２側面パネル（２）には前記天面差込片（３２）を差込可能は切込線（６１）を有することを特徴とするものである。
【０００９】
また、請求項２記載の本発明は、請求項１記載の収納容器（Ａ）において、前記裏台紙パネル（５）、前記第１側面パネル（３）、前記前面パネル（１）および前記第２側面パネル（２）の１つ、または折罫（７３、７２、７１）を介して連続する２つまたは３つの前記パネルに窓部（８０）を設けてなることを特徴とするものである。
【発明の効果】
【００１０】
本発明は、請求項１記載の構成とすることにより、板紙の一方の面（片面）だけを装飾することで、表出する領域を全て装飾することができるという効果を奏すると共に、少ないパネル（少ない板紙の使用量）で容器収納部や宣伝広告部を有する収納容器とすることができるという効果を奏するものである。
【００１１】
また、本発明は、請求項２記載の構成とすることにより、容器収納部に収納された容器を窓部から目視で確認することができるので、顧客に対する大きな訴求効果を有する収納容器とすることができるという効果を奏するものである。
【図面の簡単な説明】
【００１２】
【図１】本発明にかかる収納容器の一実施例の展開図である。
【図２】図１に示す一実施例の組立途中の状態を示す説明用斜視図である。
【図３】図１に示す一実施例の組立途中の状態を示す説明用斜視図である。
【図４】図１に示す一実施例の組立完了状態を示す説明用斜視図である。
【図５】本発明にかかる収納容器の他の実施例を示す図４に対応する図である。
【発明を実施するための形態】
【００１３】
上記の本発明について、図面等を用いて以下に詳述する。
図１は本発明にかかる収納容器の一実施例の展開図、図２は図１に示す一実施例の組立途中の状態を示す説明用斜視図、図３は図１に示す一実施例の組立途中の状態を示す説明用斜視図、図４は図１に示す一実施例の組立完了状態を示す説明用斜視図、図５は本発明にかかる収納容器の他の実施例を示す図４に対応する図であり、図中のＡは収納容器、Ａ’は板紙、１は前面パネル、２は第２側面パネル、３は第１側面パネル、４は表台紙パネル、５は裏台紙パネル、１０は底面封止フラップ、１１は底面パネル、１２は底面差込片、１３，２３，３３は折込フラップ、３０は天面封止フラップ、３１は天面パネル、３２は天面差込片、５２は差込片、６０は切線、６１，６２は切込線、７１，７２，７３，７４は折罫、１０１，１０２，１０３，２０１は折罫、３０１，３０２，３０３は折罫をそれぞれ示す。
【００１４】
図１は本発明にかかる収納容器の一実施例の展開図であって、収納容器Ａを形成する板紙Ａ’は矩形状の前面パネル１の一辺に折罫７１を介して前記前面パネル１より長大な矩形状の表台紙パネル４が連接し、前記前面パネル１の前記一辺と対向する他辺に折罫７２を介して前記前面パネル１と同じ大きさの矩形状の第１側面パネル３の一方の辺が連接し、前記第１側面パネル３の前記一方の辺と対向する他方の辺に折罫７３を介して前記表台紙パネル４と同じ大きさの裏台紙パネル５が連接してなり、前記前面パネル１の上辺側には折罫１０３を介して台形状の折込フラップ１３、下辺側に折罫１０１を介して矩形状の底面パネル１１、折罫１０２を介して底面差込片１２が連接されると共に前記折罫１０２上の中央部に切込線６２が形成されている。また、前記第１側面パネル３の上辺側には折罫３０１を介して矩形状の天面パネル３１、折罫３０２を介して先細形状の天面差込片３２が連接され、下辺側には折罫３０３を介して折込フラップ３３が連接されている。前記裏台紙パネル５の下辺側に差込片５２を備え、前記表台紙パネル４内には折罫７４を備え、該折罫７４は前記折罫７３、７２、７１と平行で前記折罫７１と前記折罫７４の距離は前記折罫７３と前記折罫７２の距離と同じであり、前記折罫１０３の延長上に切線６０が前記折罫７４まで形成されている。前記表台紙パネル４の下辺側に前記折罫１０１の延長線上に前記折罫７４まで形成された折罫２０１を介して折込フラップ２３が連接され、前記折罫７１、７４、２０１と前記切線６０で囲まれた部分が第２側面パネル２を形成する。前記第２側面パネル２内に前記切線６０と平行に切込線６１が前記折罫７１まで形成されている。このように構成された板紙Ａ’を折り畳んで組み立てることにより収納容器Ａを得ることができる。ここでいう上辺側とは前記天面パネル３１側、下辺側とは前記底面パネル１１側を意味するものである。
【００１５】
次に、上記のように構成された板紙Ａ’を折り畳んで組み立てて収納容器Ａとする方法を図１〜図４に基いて具体的に説明する。
まず、図１に示す収納容器の一実施例の展開図である板紙Ａ’を、折罫７２を山折りして表台紙パネル４の裏面（図１上の裏面）に裏台紙パネル５の裏面（図１上の裏面）を接着剤にて一体接合して宣伝広告部Ｓを形成した後、折罫７２、７１を山折りすると共に折罫７４を谷折りして第１側面パネル３と前面パネル１と第２側面パネル２を起函して前記第１側面パネル３と前記前面パネル１と前記第２側面パネル２と前記裏台紙パネル５で形成される両端に開口を有する断面矩形筒状部の図２に示す状態となし、次いで、前記第１側面パネル２と前記第１側面パネル３にそれぞれ設けた折込フラップ２３と折込フラップ３３（図１参照）を順に内側に折り畳んだ後、底面封止フラップ１０の底面パネル１１と底面差込片１２を折罫１０１、１０２を山折りすると共に前記底面差込片１２を前記断面矩形筒状部内に挿入係止すると共に前記折罫１０２に設けられた切込線６２に前記裏台紙パネル５に設けられた差込片５２（図１参照）を挿入係止することで図３に示す前記底面パネル１１と前記底面差込片１２からなる前記底面封止フラップ１０で封止した底面を有する容器収納部Ｖを形成し、次いで、前記断面矩形筒状部内に、図示はしないが、たとえば、製品や試供品（サンプル）等の容器を収納した後に、前記前面パネル１に設けた折込フラップ１３を折罫１０３で内側に折り畳んだ後、天面封止フラップ３０の天面パネル３１と天面差込片３２を折罫３０１、３０２を山折りすると共に前記天面差込片３２を前記第２側面パネル２に設けた切込線６１に前記断面矩形筒状部の外側から挿入係止することで図４に示す前記天面パネル３１と前記天面差込片３２からなる前記天面封止フラップ３０で封止した天面を有する組立完了状態の容器収納部Ｖを有する本発明の収納容器Ａを得ることができる。
【００１６】
本発明の収納容器Ａは、前記断面矩形筒状部の天面開口を前記天面封止フラップ３０の前記天面パネル３１で覆うと共に、前記天面差込片３２を前記断面矩形筒状部の外側から前記第２側面パネル２に設けた切込線６１に挿入係止することを特徴とする発明であり、これは天面に折込フラップとして折込フラップ１３のみであり、前記折込フラップ２３、３３が対向する位置に存在する底面とは異なり、前記断面矩形筒状部の内側に挿入しても係止できないためである。
【００１７】
図５は本発明にかかる収納容器の他の実施例を示す図４に対応する図であって、前記第１側面パネル３と前記前面パネル１と前記第２側面パネル２の３つのパネルに窓部８０が形成されたものであり、これ以外は図４に示す実施例と同じである。このように、収納容器Ａに窓部８０を形成することにより、容器収納部Ｖに収納された容器を窓部８０から目視で確認することができるので、顧客に対する大きな訴求効果を有する収納容器Ａとすることができる。
【００１８】
なお、前記窓部８０は、図５においては、前記第１側面パネル３と前記前面パネル１と前記第２側面パネル２の３つのパネルを跨いだ構成を示したが、窓部８０はこれに限るものではなく、裏台紙パネル５、第１側面パネル３、前面パネル１、第２側面パネル２のいずれかのパネルに形成されていてもよいし、また、折罫７３、７２、７１を介して連続する２つまたは３つの前記パネルに形成されていてもよいものである。
【００１９】
また、本発明に収納容器を構成する板紙としては、カード紙やコートボール紙等の保形性がある厚紙、あるいは、意匠面から前記厚紙の一方の面にアルミニウム箔を積層した複合紙、あるいは、前記厚紙の一方の面にアルミニウム等の金属の蒸着層を設けた複合紙等を用いることができる。坪量としては、概ね１５０〜４００ｇ／ｍ2程度の厚紙を用いればよいものである。また、収納容器Ａの容器収納部に収納する、たとえば、試供品（サンプル）等の名称や使い方、効能等を印刷で形成することは当然のこととして、意匠面から美麗な多色印刷を施してもよいし、表面に艶出し層や艶消し層、あるいは、表面保護層を設けた構成としてもよいものである。
【符号の説明】
【００２０】
Ａ                                      収納容器
Ａ’                                    板紙
１                                      前面パネル
２                                      第２側面パネル
３                                      第１側面パネル
４                                      表台紙パネル
５                                      裏台紙パネル
１０                                    底面封止フラップ
１１                                    底面パネル
１２                                    底面差込片
１３、２３、３３                        折込フラップ
３０                                    天面封止フラップ
３１                                    天面パネル
３２                                    天面差込片
５２                                    差込片
６０                                    切線
６１，６２                              切込線
７１，７２，７３、７４                  折罫
１０１，１０２，１０３，２０１          折罫
３０１，３０２，３０３                  折罫
Ｓ                                      宣伝広告部
Ｖ                                      容器収納部
【図１】
2015107826.tif 000003
【図２】
2015107826.tif 000004
【図３】
2015107826.tif 000005
【図４】
2015107826.tif 000006
【図５】
2015107826.tif 000007